(57)【要約】【課題】  高気密住宅では、換気した場合、外気を取り入れる給気が冬期間では冷たいという寒冷地特有の問題が生じている。冷たい空気の供給は室内の快適な温熱環境を悪化させてしまう。【解決手段】  給気系統に給気加温熱交換器を設置し、これに室内暖房用パネルヒーターなどの系統から分岐した温水配管、または暖房用ボイラーからの専用回路を設けるなどして、取り入れた外気へ放熱することで外気を加温したのち室内へと供給する。また、給気系統に給気送風ファンを設置し、各階中心部に給気グリルをそれぞれ設置（給気加温熱交換器設置位置から下の階においては天井に、上の階においては床の各階中央部に設置）し、各居室、浴室、洗面所などの水廻り部に排気グリルを設置して第二種方式で換気を行い、外気の流入を防ぐ。【選択図】図１
2015114094.tif 000002
【特許請求の範囲】
【請求項１】
寒冷地住宅において、給気送風ファン及び給気加温熱交換器を設置して、換気に要する給気を加温し、かつ、給気加温熱交換器の複数分流により給気送風ファンの省電力化を達成し、室内へ供給する装置。
【発明の詳細な説明】
【技術分野】
【０００１】  本発明は、寒冷地での住宅の換気において、必要な給気を予め加温して室内に取り込み、換気による温熱環境の悪化を防止する装置に関するものである。
【背景技術】
【０００２】  従来の一般的な第三種換気システムによる換気を行う場合、給気は外壁部分に設けられた複数の給気口から外気を直接取り入れているため、冬期間は非常に冷たい空気が侵入し不快である。【０００３】  給気口を閉じた場合でも、給気口からの漏気及び給気口廻りの結露、結氷の恐れがある。
【発明の開示】
【発明が解決しようとする課題】
【０００４】  高気密住宅において換気した場合、外気を取り入れる給気について、冬期間では冷たい空気が入ってくることとなり、室内の温熱環境を悪化させるという課題がある。
【課題を解決するための手段】
【０００５】  給気系統に給気加温熱交換器を設置し、これに室内暖房用パネルヒーターなどの系統から分岐した温水配管、または暖房用ボイラーからの専用回路を設けるなどして、取り入れた外気と熱交換させ、外気を加温し、室内へ供給する。【０００６】  給気系統に給気送風ファンを設置し、また、各階中心部に給気グリルをそれぞれ設置し、各居室、浴室、洗面所などの水廻り部に排気グリルを設置して第二種方式で換気を行い、外気の流入を防ぐ。
【発明の効果】
【０００７】  温度コントロールされた新鮮空気が各々の排気グリルに向かって流れることにより、全体の換気経路が作られ、室内全体がよどみのない新鮮な空気質となり、健康的な生活を確保できる。【０００８】  全ての部屋において均一な暖かさを確保でき、建物の高気密化と給気による室内の正圧力及び給気システム全体の低圧力損失化により、モーターファン等の動力を削減する省エネルギーなシステムとすることができる。
【発明を実施するための最良の形態】
【０００９】  ３階建ての住宅では、２階の室内に給気送風ファン、２階の天井内に給気加温熱交換器を設置し、各階の中心部に給気グリルを設置して加温した給気（外気）を供給する。【００１０】  １、２階においては天井に、３階は床にそれぞれ給気グリルを設置し、各居室、浴室、洗面所などの水廻り部に排気グリルを設置して換気する。【００１１】  給気加温熱交換器は、居室の暖房用ボイラーから専用配管で接続し、給気送風ファンより送られた給気（外気）と熱交換するものとする。【００１２】  導入の条件として、建物の気密性能値は０．５ｃｍ２／ｍ２以下が望ましい。【００１３】  給気加温装置全体の抵抗値（全圧力損失抵抗値）は１００ｍ３／ｈを流したときに生じる抵抗値は０．５ｍｍＡｑ以下に設計する（１５０ｍ３／ｈでは、およそ１．１２ｍｍＡｑ以下）【００１４】  本装置は、出来るだけ低圧損（抵抗の少ない）で設計し、０．５回／時以上の排気量を確保する。【００１５】  給気加温熱交換器は、二分流型で低圧損の状態により給気され、かつ加温部の温度を摂氏４３℃程度となる。【００１６】  加温能力は、外気温が相当低くても、摂氏４２〜４３℃前後で供給される。ただし、計画された排気口の排気量は建物の気密性能値に影響され、機械換気量の５５〜７０％程度の量で排気される。（０．７〜０．３ｃｍ２／ｍ２が５５〜７０％に相当）【００１７】  上述条件を満たした場合、本給気加温装置で得られる排気量は、給気ファンによって給気する第二種換気システムの総給気量、すなわち、０．５回／時、建物の気密性能数値における９．８Ｐａ時の総通気量と計画された総排気口の９．８Ｐａ時の通気量との合成性状によって５５〜７０％程度の総給気量に対する総排気量の確保が可能となる。【００１８】  窓下部においては、暖房用パネルヒーターを設置して、ダウンドラフトを防ぎながら２４時間全室暖房を行う。
【実施例１】
【００１９】  実用例１として、本実施形態の給気加温システムを用いた室内換気システムについて説明する。【００２０】  図１は、本実施例１における室内換気システムを示す概略図である。また、表１に本建物の概要を示す。【００２１】  本実施例１の室内換気システムは、３階建ての高気密住宅で、給気加温熱交換機と、給気送風ファンを有する。本実施例１における給気送風ファンは、２階の室内に設置し、外気側は外壁フードを設置して外気を直接取り入れる。給気側は給気加温熱交換器を介して各階室内へ供給する。また、１、２階においては天井に、３階においては床のいずれも階中心部に給気グリルを設置して給気するが、給気加温熱交換器は２階天井内で、各階へのダクト分岐前部に設置する。なお、給気加温熱交換器は、室内暖房用パネルヒーターなどの系統から分岐した温水配管、または暖房用ボイラーからの専用回路を設けるなどして、給気加温熱交換器へ接続することにより加温するものとする。【００２２】  図７に、外気温に対する給気加温熱交換器部の温水往ぎ温度及び戻り温度の関係を示す。温水の往き温度及び戻り温度は外気温による影響を受けず、ほぼ安定した温度で循環する。【００２３】  図８に、外気温に対する各階給気温度の関係を示す。各階給気温度は外気温による影響を受けず、ほぼ安定した温度で供給される。
【産業上の利用可能性】
【００２４】  この換気装置によって、室内の空気質を良好な状態を維持し健康的で快適な生活が確保でき、さらに建物の中に寒さを持ち込まないことによる省エネも実現できればニーズが期待され需要が見込める。
【図面の簡単な説明】
【００２５】
【図１】本実施例１の給気加温システムを有する屋内換気システムの構成を示す模式図である。（表１）本実施例１の実証実験における建物の概要を示す。
【図２】本実施形態における給気加温熱交換器部を示す平面図である。
【図３】本実施形態における給気加温熱交換器部を示す正面図である。
【図４】本実施形態における給気加温熱交換器部を示す右側面図である。
【図５】本実施形態における給気加温熱交換器部を示す左側面図である。
【図６】本実施形態における給気送風ファンの仕様図である。
【図７】本実施例１の実証実験における、外気温と給気加温熱交換器部の温水往き温度及び戻り温度の関係を示すグラフである。
【図８】本実施例１の実証実験における、外気温と各階給気温度の関係を示すグラフである。
【符号の説明】
【００２６】  １  熱交換器  ２  集塵フィルター  ３  拡張ダクト  ４  縮小ダクト  ５  熱交換部分  ６  熱交換器枠  ７  パイプ  ８  フィン  ９  フィルター部１０  フィルター枠
【図１】
2015114094.tif 000003
【図２】
2015114094.tif 000004
【図３】
2015114094.tif 000005
【図４】
2015114094.tif 000006
【図５】
2015114094.tif 000007
【図６】
2015114094.tif 000008
【図７】
2015114094.tif 000009
【図８】
2015114094.tif 000010